(57)【要約】【課題】振動や衝撃などが組電池に加わった場合でも、電極タブの破損を抑制することができる電池ホルダを提供する。【解決手段】複数の電池により構成されている組電池を保持する電池ホルダ１０は、複数の電池の電極タブ同士を接続して保持するための電極タブ保持部１と、組電池の、複数の電池の電極タブが設けられていない面に当接して組電池を保持するための組電池保持部２と、を備える。電極タブ保持部１は、組電池保持部２と直接接続されている。【選択図】図１
2019012604.tif 000002
【特許請求の範囲】
【請求項１】
複数の電池により構成されている組電池を保持する電池ホルダであって、
前記複数の電池の電極タブ同士を接続して保持するための電極タブ保持部と、
前記組電池の、前記複数の電池の電極タブが設けられていない面に当接して前記組電池を保持するための組電池保持部と、
を備え、
前記電極タブ保持部は、前記組電池保持部と直接接続されている、
ことを特徴とする電池ホルダ。
【請求項２】
前記電極タブ保持部は、前記組電池保持部と一体的に形成されている、
ことを特徴とする請求項１に記載の電池ホルダ。
【請求項３】
接続されるべき前記電極タブ同士が、雌ネジと、前記雌ネジと螺合する雄ネジとを用いて接続されるように構成されており、
前記電極タブ保持部は、前記複数の電池の複数の電極タブが貫通するための複数の貫通孔と、前記雌ネジを保持するための雌ネジ保持部とを有する、
ことを特徴とする請求項１または２に記載の電池ホルダ。
【請求項４】
前記雌ネジ保持部は、前記電極タブ同士の接続箇所毎に、複数の前記雄ネジと螺合する複数の前記雌ネジを保持するように構成されている、
ことを特徴とする請求項３に記載の電池ホルダ。
【請求項５】
前記電極タブ保持部は、前記複数の電池の複数の電極タブのそれぞれが貫通するための複数の貫通孔と、互いに接続されるべき前記電極タブ同士を接続するために用いられる雄ネジと螺合するネジ受け部とを有する、
ことを特徴とする請求項１または２に記載の電池ホルダ。
【請求項６】
前記ネジ受け部は、前記電極タブ同士の接続箇所毎に、複数の前記雄ネジと螺合するように構成されている、
ことを特徴とする請求項５に記載の電池ホルダ。
【請求項７】
前記組電池保持部は、前記組電池の第１の面に当接する第１の当接部と、前記第１の面と対向する第２の面に当接する第２の当接部とを備える、
ことを特徴とする請求項１〜６のいずれかに記載の電池ホルダ。
【請求項８】
請求項１〜７のいずれかに記載の電池ホルダと、
複数の電池の電極タブ同士を接続してなる組電池と、
を備え、
前記組電池が前記電池ホルダに保持されていることを特徴とする電池パック。  
【発明の詳細な説明】
【技術分野】
【０００１】
本発明は、複数の電池により構成されている組電池を保持する電池ホルダ、および電池ホルダにより組電池が保持された構造を有する電池パックに関する。
【背景技術】
【０００２】
複数の電池により構成されている組電池を保持するための電池ホルダが知られている。
【０００３】
特許文献１には、そのような電池ホルダを有する電池パックが記載されている。具体的には、複数の電池により構成されている組電池と、複数の電池の電極タブが貫通する複数の貫通孔を有する電池ホルダと、電池ホルダの外側に設けられ、複数の電池の複数の電極タブが接続される電極タブ接続部を有する基板とを備えた電池パックが特許文献１に記載されている。
【先行技術文献】
【特許文献】
【０００４】
【特許文献１】特開２０１２−２１２６０４号公報
【発明の概要】
【発明が解決しようとする課題】
【０００５】
しかしながら、特許文献１に記載の電池パックでは、電極タブ接続部を有する基板および電池ホルダが複数の電池の電極タブが設けられている側に設けられており、電池ホルダは、電池の電極タブを保持する構成とされている。このため、この電池パックに振動や衝撃などが加わると、組電池の本体と電極タブの固定部分とが異なる位相で変位する場合がある。この場合、電極タブを固定している部分に過大な応力が集中し、電極タブが破損する可能性がある。
【０００６】
本発明は、上記課題を解決するものであり、振動や衝撃などが組電池に加わった場合でも、電極タブの破損を抑制することができる電池ホルダ、および電池ホルダにより組電池が保持された構造を有する、信頼性の高い電池パックを提供することを目的とする。
【課題を解決するための手段】
【０００７】
本発明の電池ホルダは、
複数の電池により構成されている組電池を保持する電池ホルダであって、
前記複数の電池の電極タブ同士を接続して保持するための電極タブ保持部と、
前記組電池の、前記複数の電池の電極タブが設けられていない面に当接して前記組電池を保持するための組電池保持部と、
を備え、
前記電極タブ保持部は、前記組電池保持部と直接接続されている、
ことを特徴とする。
【０００８】
前記電極タブ保持部は、前記組電池保持部と一体的に形成されていてもよい。
【０００９】
接続されるべき前記電極タブ同士が、雌ネジと、前記雌ネジと螺合する雄ネジとを用いて接続されるように構成されており、前記電極タブ保持部は、前記複数の電池の複数の電極タブが貫通するための複数の貫通孔と、前記雌ネジを保持するための雌ネジ保持部とを有する構成としてもよい。
【００１０】
前記雌ネジ保持部は、前記電極タブ同士の接続箇所毎に、複数の前記雄ネジと螺合する複数の前記雌ネジを保持するように構成されていてもよい。
【００１１】
また、前記電極タブ保持部は、前記複数の電池の複数の電極タブが貫通するための複数の貫通孔と、互いに接続されるべき前記電極タブ同士を接続するために用いられる雄ネジと螺合するネジ受け部とを有するように構成されていてもよい。
【００１２】
また、前記ネジ受け部は、前記電極タブ同士の接続箇所毎に、複数の前記雄ネジと螺合するように構成されていてもよい。
【００１３】
前記組電池保持部は、前記組電池の第１の面に当接する第１の当接部と、前記第１の面と対向する第２の面に当接する第２の当接部とを備えていてもよい。
【００１４】
本発明による電池パックは、
上述した電池ホルダと、
複数の電池の電極タブ同士を接続してなる組電池と、
を備え、
前記組電池が前記電池ホルダに保持されていることを特徴とする。
【発明の効果】
【００１５】
本発明の電池ホルダによれば、複数の電池の電極タブ同士を接続して保持するための電極タブ保持部と、組電池の、複数の電池の電極タブが設けられている面とは異なる面に当接して組電池を保持するための組電池保持部とが直接接続されているので、組電池に対して外部から衝撃や振動が加わった際に、組電池の本体部分と、複数の電池の電極タブの固定部分は同位相で変動する。これにより、電極タブへの応力集中を緩和して、電極タブの破損を抑制することができる。
【００１６】
また、本発明の電池パックによれば、上述した本発明による電池ホルダと、複数の電池の電極タブ同士を接続してなる組電池とを備え、組電池が上記電池ホルダにより保持されているので、電池パックに衝撃や振動が加わった際に、組電池の本体部分と、複数の電池の電極タブの固定部分は同位相で変動する。これにより、電極タブへの応力集中を緩和して、電極タブの破損を抑制することが可能な信頼性の高い電池パックを提供することができる。
【図面の簡単な説明】
【００１７】
【図１】第１の実施形態における電池ホルダの斜視図である。
【図２】第１の実施形態における電池ホルダと、組電池とを備えた電池パックの斜視図である。
【図３】組電池を構成する電池の平面図である。
【図４】組電池の側面図である。
【図５】電極タブ保持部の平面図である。
【図６】電極タブ保持部の雌ネジ保持部に、雌ネジであるナットが取り付けられた状態を示す図である。
【図７】複数の電池の電極タブ同士の接続方法を説明するための図である。
【図８】第２の実施形態における電池ホルダの電極タブ保持部の平面図である。
【図９】第３の実施形態における電池ホルダの斜視図である。
【図１０】一対の電極タブ保持部を有する電池ホルダの斜視図である。
【発明を実施するための形態】
【００１８】
以下に本発明の実施形態を示して、本発明の特徴とするところをさらに具体的に説明する。
【００１９】
＜第１の実施形態＞
図１は、第１の実施形態における電池ホルダ１０の斜視図である。図２は、第１の実施形態における電池ホルダ１０と、組電池２０とを備えた電池パック１００の斜視図である。また、図３は、組電池２０を構成する電池３０の平面図である。
【００２０】
電池３０は、例えばリチウムイオン二次電池であり、本体部３１と、電極タブである正極タブ３２および負極タブ３３とを備える。本体部３１は、ラミネートフィルムにより形成されているラミネートケースに、電池要素を収容した構造を有する。電池要素には、例えば、正極、負極および電解質が含まれる。
【００２１】
正極タブ３２は、本体部３１内の正極と接続され、負極タブ３３は、本体部３１内の負極と接続されている。本実施形態では、正極タブ３２および負極タブ３３は、図３に示すように、本体部３１から同一の方向に突出するように設けられている。
【００２２】
正極タブ３２には、後述する雄ネジが貫通する正極用ネジ穴３４が設けられている。また、負極タブ３３には、後述する雄ネジが貫通する負極用ネジ穴３５が設けられている。
【００２３】
なお、電池３０がリチウムイオン二次電池に限定されることはなく、他の種類の電池であってもよい。また、本体部３１の外装ケースがラミネートケースに限定されることもない。
【００２４】
図４は、組電池２０の側面図である。本実施形態では、組電池２０は、４つの電池３０、すなわち、第１の電池３０ａ、第２の電池３０ｂ、第３の電池３０ｃ、および第４の電池３０ｄにより構成されている。４つの電池３０は積層されており、積層方向に隣接する電池３０同士は、例えば、両面テープや接着剤などを用いて接着されている。なお、組電池２０を構成する電池３０の数が４つに限定されることはない。
【００２５】
本明細書では、組電池２０の表面のうち、各電池３０の積層方向における外側表面を、組電池２０の主面と呼ぶ。すなわち、組電池２０は、最上層に位置する第１の電池３０ａの外側表面である第１の主面２１と、最下層に位置する第４の電池３０ｄの外側表面である第２の主面２２とを有する。
【００２６】
組電池２０を構成する各電池３０の正極タブ３２および負極タブ３３は、組電池２０の側方に突出している。すなわち、組電池２０の第１の主面２１および第２の主面２２は、各電池３０の正極タブ３２および負極タブ３３が設けられていない面である。
【００２７】
図１に示すように、第１の実施形態における電池ホルダ１０は、複数の電池３０の電極タブ同士を接続して保持するための電極タブ保持部１と、組電池２０の第１の主面２１に当接して組電池２０を保持するための組電池保持部２とを備える。
【００２８】
電極タブ保持部１は、組電池保持部２と直接接続されている。本実施形態では、電極タブ保持部１と組電池保持部２は、一体的に、例えば樹脂により形成されている。
【００２９】
図５は、電極タブ保持部１の平面図である。電極タブ保持部１は、組電池２０を構成する４つの電池３０の正極タブ３２および負極タブ３３がそれぞれ貫通する８つの貫通孔１１ａ〜１１ｈと、４つの電池３０の電極タブ同士を接続するために用いられる雄ネジと螺合する雌ネジを保持する雌ネジ保持部１２とを有する。
【００３０】
後述するように、４つの電池３０の接続されるべき電極タブ同士は、雄ネジ７０ａ〜７０ｅ（図７参照）と、当該雄ネジ７０ａ〜７０ｅと螺合する雌ネジ６０ａ〜６０ｅ（図７参照）とを用いて結合されて、電気的に接続されるように構成されている。この実施形態では、雌ネジ６０ａ〜６０ｅとしてナットが用いられ、雄ネジ７０ａ〜７０ｅとして、ドライバにより回転させることができるように、頭部に＋溝が形成されたビスが用いられている。
【００３１】
本実施形態では、雌ネジ保持部１２として、電極タブ同士の接続箇所毎に、２つの雄ネジと螺合する２つの雌ネジを保持する２つの雌ネジ保持穴１２ａ、１２ｂ、１２ｃ、１２ｄ、１２ｅが設けられている。すなわち、雌ネジ保持部１２は、雌ネジが取り付けられる１０個の雌ネジ保持穴１２ａ〜１２ｅである。
【００３２】
図６は、電極タブ保持部１の雌ネジ保持部１２である１０個の雌ネジ保持穴１２ａ〜１２ｅに、雌ネジである１０個のナット６０ａ〜６０ｅがそれぞれ取り付けられた状態を示す図である。各ナット６０ａ〜６０ｅは、各雌ネジ保持穴１２ａ〜１２ｅに確実に保持されるように、例えば、各雌ネジ保持穴１２ａ〜１２ｅにある程度の力で押し込まれるような態様で取り付けられる。
【００３３】
複数の電池３０の電極タブ同士の接続方法を、図７を参照しながら説明する。なお、以下の説明では、各電池３０ａ〜３０ｄの正極用ネジ穴３４をそれぞれ正極用ネジ穴３４ａ〜３４ｄ、各電池３０ａ〜３０ｄの負極用ネジ穴３５をそれぞれ負極用ネジ穴３５ａ〜３５ｄと呼ぶ。
【００３４】
第１の電池３０ａの第１の正極タブ３２ａは、第１の貫通孔１１ａを貫通して、下方へと折り曲げられている。２つの第１の雄ネジ７０ａは、第１の正極タブ３２ａの２つの正極用ネジ穴３４ａをそれぞれ貫通して、２つの第１のナット６０ａとそれぞれ螺合されている。
【００３５】
第１の電池３０ａの第１の負極タブ３３ａは、第２の貫通孔１１ｂを貫通して、下方へと折り曲げられている。また、第２の電池３０ｂの第２の正極タブ３２ｂは、第３の貫通孔１１ｃを貫通して、上方へと折り曲げられており、その一部は、第１の負極タブ３３ａの一部と重なり合っている。
【００３６】
２つの第２の雄ネジ７０ｂは、第１の負極タブ３３ａの２つの負極用ネジ穴３５ａ、および、第２の正極タブ３２ｂの２つの正極用ネジ穴３４ｂをそれぞれ貫通して、２つの第２のナット６０ｂとそれぞれ螺合されている。これにより、第１の電池３０ａと第２の電池３０ｂは、直列に接続されている。
【００３７】
第２の電池３０ｂの第２の負極タブ３３ｂは、第４の貫通孔１１ｄを貫通して、下方へと折り曲げられている。また、第３の電池３０ｃの第３の正極タブ３２ｃは、第５の貫通孔１１ｅを貫通して、上方へと折り曲げられており、その一部は、第２の負極タブ３３ｂの一部と重なり合っている。
【００３８】
２つの第３の雄ネジ７０ｃは、第２の負極タブ３３ｂの２つの負極用ネジ穴３５ｂ、および、第３の正極タブ３２ｃの２つの正極用ネジ穴３４ｃをそれぞれ貫通して、２つの第３のナット６０ｃとそれぞれ螺合されている。これにより、第２の電池３０ｂと第３の電池３０ｃは、直列に接続されている。
【００３９】
第３の電池３０ｃの第３の負極タブ３３ｃは、第６の貫通孔１１ｆを貫通して、下方へと折り曲げられている。また、第４の電池３０ｄの第４の正極タブ３２ｄは、第７の貫通孔１１ｇを貫通して、上方へと折り曲げられており、その一部は、第３の負極タブ３３ｃの一部と重なり合っている。
【００４０】
２つの第４の雄ネジ７０ｄは、第３の負極タブ３３ｃの２つの負極用ネジ穴３５ｃ、および、第４の正極タブ３２ｄの２つの正極用ネジ穴３４ｄをそれぞれ貫通して、２つの第４のナット６０ｄとそれぞれ螺合されている。これにより、第３の電池３０ｃと第４の電池３０ｄは、直列に接続されている。
【００４１】
第４の電池３０ｄの第４の負極タブ３３ｄは、第８の貫通孔１１ｈを貫通して、上方へと折り曲げられている。２つの第５の雄ネジ７０ｅは、第４の負極タブ３３ｄの２つの負極用ネジ穴３５ｄを貫通して、２つの第５のナット６０ｅとそれぞれ螺合されている。
【００４２】
このように、本実施形態では、隣接する電池３０の電極タブ同士を接続する際に、１つの電極タブ同士を接続するために用いる雄ネジを１つではなく２つ用いることにより、電極タブ同士を安定的に固定することができる。
【００４３】
図２に示すように、電池パック１００は、複数の電池３０により構成されている組電池２０に、図１に示す電池ホルダ１０を取り付けて、上述したように、複数の電池３０の電極タブ同士を接続し、さらに、電池ホルダ１０が取り付けられた組電池２０の長手方向における中央部を、固定テープ４０で締結した構造を有する。固定テープ４０として、例えば、シュリンクフィルムを用いることができる。ただし、組電池２０と電池ホルダ１０との固定方法が固定テープ４０を用いた方法に限定されることはない。
【００４４】
本実施形態における電池ホルダｌ０によれば、複数の電池３０の電極タブ同士を接続して保持するための電極タブ保持部１と、組電池２０の第１の主面２１に当接して組電池２０を保持するための組電池保持部２とが直接接続されているので、組電池２０の本体部分に外部から衝撃や振動が加わると、直接接続されている電極タブ保持部１および組電池保持部２を介して、各電池３０の正極タブ３２および負極タブ３３の固定部分に伝わる。すなわち、組電池２０に外部から衝撃や振動が加わった場合に、組電池２０の本体部分と、各電池３０の正極タブ３２および負極タブ３３の固定部分は同位相で変動する。これにより、正極タブ３２および負極タブ３３への応力集中、より詳細には、正極タブ３２および負極タブ３３の折り曲げ部分や、正極タブ３２および負極タブ３３が設けられている位置のラミネートフィルムのシール部分への応力集中を緩和して、正極タブ３２および負極タブ３３の破損を抑制することができる。
【００４５】
特に、本実施形態における電池ホルダｌ０では、電極タブ保持部１は、組電池保持部２と一体的に形成されているので、組電池２０に外部から衝撃や振動が加わった場合に、電池２０の本体部分と、各電池３０の正極タブ３２および負極タブ３３の固定部分とは、より同位相で変動しやすくなる。これにより、正極タブ３２および負極タブ３３への応力集中を効果的に緩和して、正極タブ３２および負極タブ３３の破損を効果的に抑制することができる。
【００４６】
また、本実施形態における電池ホルダ１０では、電極タブ保持部１は、組電池２０を構成する複数の電池３０の正極タブ３２および負極タブ３３がそれぞれ貫通する複数の貫通孔１１ａ〜１１ｈと、複数の電池３０の電極タブ同士を接続するために用いられる雄ネジ７０ａ〜７０ｅと螺合する雌ネジ６０ａ〜６０ｅを保持する雌ネジ保持部１２とを有しているので、上記特許文献１に記載の電極タブ接続部を有する基板のような、複数の電池３０の電極タブ同士を接続するための専用の接続板を別途設ける必要がない。これにより、低コストで容易に、複数の電池３０の電極タブ同士を接続することができる。また、複数の電池３０の電極タブ同士を接続するための専用の接続板を別途設ける必要がないので、電池ホルダ１０に組電池２０を取り付けて構成される電池パック１００を軽量化することができる。
【００４７】
さらに、本実施形態における電池ホルダ１０によれば、電極タブ保持部１は、複数の電池３０の電極タブ同士を接続するために用いられる雄ネジ７０ａ〜７０ｅと螺合するナット６０ａ〜６０ｅを保持する雌ネジ保持部１２（１２ａ〜１２ｅ）を有するので、既存の雄ネジ７０ａ〜７０ｅと、既存の雌ネジであるナット６０ａ〜６０ｅを用いて、電極タブ同士を接続することができる。
【００４８】
また、上述の作用効果を奏する電池ホルダ１０を用いて組電池２０を保持するように構成した電池パック１００によれば、外部から振動や衝撃が加わった場合でも、電池３０の電極タブへの応力集中を緩和して、電極タブの破損を抑制することが可能となり、信頼性が向上する。
【００４９】
＜第２の実施形態＞
第１の実施形態における電池ホルダ１０において、電極タブ保持部１は、複数の電池３０の電極タブ同士を接続するために用いられる雄ネジ７０ａ〜７０ｅと螺合する雌ネジであるナット６０ａ〜６０ｅを保持する雌ネジ保持部１２を有している。
【００５０】
第２の実施形態における電池ホルダ１０Ａでは、電極タブ保持部１Ａは、複数の電池３０の電極タブ同士を接続するために用いられる雄ネジ７０ａ〜７０ｅと螺合するネジ受け部を有する。
【００５１】
図８は、第２の実施形態における電池ホルダ１０Ａの電極タブ保持部１Ａの平面図である。電極タブ保持部１Ａは、組電池２０を構成する４つの電池３０の正極タブ３２および負極タブ３３がそれぞれ貫通する８つの貫通孔１１ａ〜１１ｈと、複数の電池３０の電極タブ同士を接続するために用いられる雄ネジ７０ａ〜７０ｅと螺合するネジ受け部１５とを有する。
【００５２】
本実施形態では、ネジ受け部１５として、電極タブ同士の接続箇所毎に、２つの雄ネジと螺合する２つのネジ穴１５ａ、１５ｂ、１５ｃ、１５ｄ、１５ｅが設けられている。各ネジ穴１５ａ、１５ｂ、１５ｃ、１５ｄ、１５ｅには、雄ネジ７０ａ、７０ｂ、７０ｃ、７０ｄ、７０ｅとそれぞれ螺合するネジ溝が内側に設けられている。すなわち、ネジ受け部１５は、１０個の雄ネジ７０ａ〜７０ｅとそれぞれ螺合するネジ溝が内側に設けられた１０個のネジ穴１５ａ〜１５ｅである。
【００５３】
第２の実施形態における電池ホルダ１０Ａでも、第１の実施形態における電池ホルダ１０と同様に、組電池２０の本体部分に外部から衝撃や振動が加わった場合に、各電池３０の正極タブ３２および負極タブ３３への応力集中を緩和して、正極タブ３２および負極タブ３３の破損を抑制することができる。
【００５４】
ここで、第１の実施形態における電池ホルダ１０では、複数の電池３０の電極タブ同士を接続する際に、雌ネジ保持部１２を構成する１０個の雌ネジ保持穴１２ａ〜１２ｅに、雌ネジであるナット６０ａ〜６０ｅを設置する必要があった。
【００５５】
しかしながら、第２の実施形態における電池ホルダ１０Ａによれば、電極タブ保持部１Ａは、雄ネジ７０ａ〜７０ｅと螺合するネジ受け部１５を有するので、複数の電池３０の電極タブ同士を接続する際に、雌ネジを設置する必要がない。これにより、容易に複数の電池３０の電極タブ同士を接続することができる。
【００５６】
また、第１の実施形態における電池ホルダ１０のように、複数の電池３０の電極タブ同士を接続する際に雌ネジを設置する構成では、設置した雌ネジが落下して、電極タブ同士の接続が外れると、意図しない電極タブ同士が接触して、複数の電池３０の間で短絡が生じる可能性がある。しかしながら、第２の実施形態における電池ホルダ１０Ａによれば、上述したように、雌ネジを設置する必要がないので、上述したような電池３０間の短絡を防止することができる。
【００５７】
＜第３の実施形態＞
第１の実施形態における電池ホルダ１０では、組電池保持部２は、組電池２０の第１の主面２１に当接して組電池２０を保持するように構成されている。
【００５８】
これに対し、第３の実施形態における電池ホルダ１０Ｂでは、組電池保持部２Ａは、組電池２０の第１の主面２１および第２の主面に当接して、組電池２０を保持するように構成されている。
【００５９】
図９は、第３の実施形態における電池ホルダ１０Ｂの斜視図である。第３の実施形態における電池ホルダ１０Ｂは、複数の電池３０の電極タブ同士を接続して保持するための電極タブ保持部１と、組電池２０の第１の主面２１および第２の主面２２に当接して組電池２０を保持するための組電池保持部２Ａとを備える。
【００６０】
組電池保持部２Ａは、組電池２０の第１の主面２１に当接する第１の当接部２１１と、第１の主面２１と対向する第２の主面２２に当接する第２の当接部２１２とを備える。
【００６１】
電極タブ保持部１と、組電池保持部２Ａを構成する第１の当接部２１１および第２の当接部２１２とは、一体的に、例えば樹脂により形成されている。
【００６２】
第３の実施形態における電池ホルダ１０Ｂでも、第１の実施形態における電池ホルダ１０および第２の実施形態における電池ホルダ１０Ａと同様に、組電池２０の本体部分に外部から衝撃や振動が加わった場合に、各電池３０の正極タブ３２および負極タブ３３への応力集中を緩和して、正極タブ３２および負極タブ３３の破損を抑制することができる。
【００６３】
特に、第３の実施形態における電池ホルダ１０Ｂは、第１の当接部２１１と第２の当接部２１２によって、複数の電池３０の積層方向の外側から組電池２０を挟み込んで保持するように構成されている。このような構成により、第３の実施形態における電池ホルダ１０Ｂは、組電池２０をより確実に保持することができる。
【００６４】
なお、第１の実施形態における電池ホルダ１０、および、第２の実施形態における電池ホルダ１０Ａにおいても同様に、組電池保持部２が組電池２０の第１の主面２１および第２の主面２２に当接して、組電池２０を保持するように構成されていてもよい。
【００６５】
本発明は、上記実施形態に限定されるものではなく、本発明の範囲内において、種々の応用、変形を加えることが可能である。
【００６６】
上述した第１の実施形態における電池ホルダ１０では、電極タブ保持部１と組電池保持部２は、一体的に形成されている構成となっているが、電極タブ保持部１と組電池保持部２がそれぞれ別の部材であり、それらが、例えばボルトなどによって直接接続されている構成であってもよい。同様に、第２の実施形態における電池ホルダ１０Ａでも、電極タブ保持部１Ａと組電池保持部２がそれぞれ別の部材で、それらが直接接続されていてもよいし、第３の実施形態における電池ホルダ１０Ｂにおいて、電極タブ保持部１と組電池保持部２Ａがそれぞれ別の部材で、それらが直接接続されていてもよい。
【００６７】
隣接する電池３０の電極タブ同士を接続する際に、１つの電極タブ同士を接続するために用いる雄ネジを２つ用いるものとして説明したが、雄ネジを３つ以上用いてもよいし、１つだけ用いるようにしてもよい。ただし、電極タブ同士を安定的に固定するためには、複数の雄ネジを用いることが好ましい。
【００６８】
上述した各実施形態では、組電池２０を構成する各電池３０の電極タブである正極タブ３２および負極タブ３３は、本体部３１から同一の方向に突出するように設けられているものとして説明したが、正極タブ３２と負極タブ３３が電池３０の本体部３１から反対方向に突出するように設けられていてもよい。そのような構造を有する組電池２０を保持する電池ホルダの構成を図１０に示す。
【００６９】
図１０に示す電池ホルダ１０Ｃは、複数の電池３０の電極タブ同士を接続して保持するための一対の電極タブ保持部１Ｂと、組電池２０の第１の主面２１に当接して組電池２０を保持するための組電池保持部２とを有する。一対の電極タブ保持部１Ｂと、組電池保持部２とは、一体的に形成されている。ただし、一対の電極タブ保持部１Ｂおよび組電池保持部２がそれぞれ別の部材で、それらが直接接続されていてもよい。
【符号の説明】
【００７０】
１、１Ａ、１Ｂ  電極タブ保持部
２、２Ａ  組電池保持部
１０    第１の実施形態における電池ホルダ
１０Ａ  第２の実施形態における電池ホルダ
１０Ｂ  第３の実施形態における電池ホルダ
１０Ｃ  一対の電極タブ保持部を有する電池ホルダ
１１ａ〜１１ｈ    貫通孔
１２    雌ネジ保持部
１２ａ〜１２ｅ  雌ネジ保持穴
１５    ネジ受け部
１５ａ〜１５ｅ  ネジ穴
２０    組電池
２１    組電池の第１の主面
２２    組電池の第２の主面
３０    電池
３１    本体部
３２    正極タブ
３３    負極タブ
３４    正極用ネジ穴
３５    負極用ネジ穴
４０    固定テープ
６０ａ〜６０ｅ  ナット
７０ａ〜７０ｅ  雄ネジ
２１１  第１の当接部
２１２  第２の当接部
【図１】
2019012604.tif 000003
【図２】
2019012604.tif 000004
【図３】
2019012604.tif 000005
【図４】
2019012604.tif 000006
【図５】
2019012604.tif 000007
【図６】
2019012604.tif 000008
【図７】
2019012604.tif 000009
【図８】
2019012604.tif 000010
【図９】
2019012604.tif 000011
【図１０】
2019012604.tif 000012